(57)【要約】【課題】小型で、生産性が良く、且つ、安価で操作性の良好なスイッチを提供する。【解決手段】本発明のスイッチは、前面に開放部１ｄが設けられた絶縁材からなるケース１と、開放部１ｄに位置し、ケース１に回動可能に軸支されたレバー４と、ケース１に取り付けられたバネ性ある金属薄板からなる可動接点２と、ケース１に取り付けられ、可動接点２に接離可能な固定接点３とを備え、可動接点２は、支持部２ｃと、この支持部２ｃを支点として自由端側が回動可能なアーム部２ｄを有し、レバー４の回動時、可動接点２のアーム部２ｄの自由端側がレバー４の押圧で回動されて、接点の切換を行うようにしたため、可動接点２がケース１に取り付けできて、可動接点がレバーに取り付けられる従来に比して、可動接点の取付が簡単で、生産性の良好なものが得られる。【選択図】        図３
2004185925.tif 000002
【特許請求の範囲】
【請求項１】
前面に開放部が設けられた絶縁材からなるケースと、前記開放部に位置し、前記ケースに回動可能に軸支されたレバーと、前記ケースに取り付けられたバネ性ある金属薄板からなる可動接点と、前記ケースに取り付けられ、前記可動接点に接離可能な固定接点とを備え、前記可動接点は、支持部と、この支持部を支点として自由端側が回動可能なアーム部を有し、前記レバーの回動時、前記可動接点の前記アーム部の自由端側が前記レバーの押圧で回動されて、接点の切換を行うようにしたことを特徴とするスイッチ。
【請求項２】
前記固定接点は、前記アーム部の前記支持部と前記アーム部の前記レバー当接位置との間で接離するようにしたことを特徴とする請求項１記載のスイッチ。
【請求項３】
前記レバーは、前記アーム部によって元の位置に復帰するようにしたことを特徴とする請求項１、又は２記載のスイッチ。
【請求項４】
前記レバーは、回動可能に軸支される軸支部と、この軸支部から延びて形成された操作部と、この操作部の先端部と前記軸支部との間で、前記操作部に設けられた押圧部を有し、前記押圧部で前記アーム部を押圧して回動するようにしたことを特徴とする請求項１から３の何れかに記載のスイッチ。
【請求項５】
前記操作部には、前記アーム部の自由端部側を受け入れる窪み部が設けられたことを特徴とする請求項５記載のスイッチ。
【請求項６】
前記レバーは、前記軸支部が前記ケースに対してスナップ止めされて、前記レバーが前記ケースに取り付けられたことを特徴とする請求項４，又は５記載のスイッチ。
【請求項７】
前記レバーの前記軸支部と前記アーム部の前記支持部は、前記ケースに対して同一側に配置され、前記軸支部を支点として前記操作部を回動した時、前記支持部を支点として回動する前記アーム部の回動方向が前記操作部の回動方向と同じ方向としたことを特徴とする請求項４から６の何れかに記載のスイッチ。
【請求項８】
前記操作部の外周面には、前記軸支部の軸線方向に延びる平坦面が設けられ、前記平坦面を前記ケースに当接させて、前記レバーの復帰方向の回動をストップするようにしたことを特徴とする請求項４から７の何れかに記載のスイッチ。
【請求項９】
前記固定接点は、バネ性ある金属薄板で形成され、前記ケースには、前記固定接点の接点部の動きを止める壁部が設けられたことを特徴とする請求項１から８の何れかに記載のスイッチ。
【請求項１０】
箱形をなす前記ケース内が前記壁部で区画されて、少なくとも２個の区画室を有し、前記可動接点と前記固定接点が異なる前記区画室に配置されたことを特徴とする請求項９記載のスイッチ。
【請求項１１】
前記レバーの前記操作部が前記ケースの前記開放部を塞ぐように配置されたことを特徴とする請求項１から１０の何れかに記載のスイッチ。
【発明の詳細な説明】
【０００１】
【発明の属する技術分野】
本発明は種々の電子機器に使用して好適なスイッチに関する。
【０００２】
【従来の技術】
従来のスイッチの図面を説明すると、図８は従来のスイッチの要部断面図、図９は従来のスイッチの分解斜視図である。
【０００３】
次に、従来のスイッチの構成を図８，図９に基づいて説明すると、合成樹脂の成型品からなる箱形のケース５１は、金属板からなる一対の固定接点５２を埋設した底壁５１ａと、この底壁５１ａの周囲から上方に延びる側壁５１ｂと、この側壁５１ｂに設けられた係止用の突起５１ｃと、対向する一対の側壁５１ｂの上端部に設けられた軸支用の孔５１ｄを有する。
【０００４】
合成樹脂の成型品からなるレバー５３は、三角板状の操作部５３ａと、この操作部５３ａの下方に設けられた板状部５３ｂと、この板状部５３ｂの下方に設けられた突部５３ｃと、操作部５３ａの一端側に設けられた軸部５３ｄと、この軸部５３ｄの下方に設けられた切り込み部５３ｅを有する。
【０００５】
そして、このレバー５３は、板状部５３ｂがケース５１の開放部に位置し、操作部５３ａがケース５１の外方に突出した状態で、軸部５３ｄを孔５１ｄに挿入されて、レバー５３は、軸部５３ｄを支点として、回動可能に取り付けられている。
【０００６】
コ字状の取付部材５４は、中央部にスリット５４ａが設けられた上面板５４ｂと、凹部５４ｃが設けられ、上面板５４ｂから折り曲げられた折り曲げ片５４ｄを有する。
【０００７】
この取付部材５４は、スリット５４ａに操作部５３ａを挿通し、上面板５４ｂでケース５１の開放部を覆った状態で、折り曲げ片５４ｄの凹部５４ｃを突起５１ｃに掛け止めして、ケース５１に取り付けられる。
【０００８】
そして、取付部材５４がケース５１に取り付けられた際、上面板５４ｂがレバー５３の板状部５３ｂの上部位置して、レバー５３の上方への回動を阻止（ストップ）するようになっている。
【０００９】
バネ性ある金属薄板からなる略Ｖ字状の可動接点５５は、平板状の基部５５ａと、基部５５ａの一端から折り曲げられた折り曲げ部５５ｂと、この折り曲げ部５５ｂから延びるアーム部５５ｃと、このアーム部５５ｃと折り曲げ部５５ｂに跨って形成されたスリット５５ｄと、アーム部５５ｃの自由端部に設けられた接点部５５ｅを有する。
【００１０】
この可動接点５５は、基部５５ａの先端部が切り込み部５３ｅに掛け止めされると共に、折り曲げ部５５ｂが突部５３ｃを抱持した状態で突部５３ｃに掛け止めされて、レバー５３に取り付けられる。
【００１１】
そして、可動接点５５がレバー５３に取り付けられた際、接点部５５ｅは、固定接点５２に弾接可能となっていると共に、軸部５３ｄを支点としてレバー５３が回動した時、可動接点５５は、切り込み部５３ｅと突部５３ｃによって、全体がレバー５３と共に回動する。
【００１２】
また、可動接点５５が回動すると、接点部５５ｅが固定接点５２に接離して、接点の切換が行われ、また、レバー５３の回動操作を解除すると、レバー５３は、アーム部５５ｃのバネ性により、取付部材５４にぶつかった元の状態に戻るようになる。（例えば、特許文献１参照）
【００１３】
【特許文献１】
特開平９−２４５５７３号公報
【００１４】
【発明が解決しようとする課題】
従来のスイッチは、可動接点５５がレバー５３の切り込み部５３ｅと突部５３ｃとに掛け止めされて、可動接点５５が２カ所の掛け止め部によって回動するようにしたため、可動接点５５の取付が面倒で、生産性が悪いという問題がある。
また、可動接点５５は、全体が回動動作するため、スイッチ全体が大型になるという問題がある。
また、可動接点５５は、アーム部５５ｃの先端部に設けられた接点部５５ｅが固定接点５２に摺動するようにしたため、レバー５３の移動を大きくする必要が生じ、レバー５３の可動量が大きくなって、大型になるばかりか、操作性が悪くなるという問題がある。
また、レバー５３の取付、及びストッパーのために取付部材５４を必要とし、部品点数が多くなって、コスト高で、生産性が悪いという問題がある。
【００１５】
そこで、本発明は小型で、生産性が良く、且つ、安価で操作性の良好なスイッチを提供することを目的とする。
【００１６】
【課題を解決するための手段】
上記課題を解決するための第１の解決手段として、前面に開放部が設けられた絶縁材からなるケースと、前記開放部に位置し、前記ケースに回動可能に軸支されたレバーと、前記ケースに取り付けられたバネ性ある金属薄板からなる可動接点と、前記ケースに取り付けられ、前記可動接点に接離可能な固定接点とを備え、前記可動接点は、支持部と、この支持部を支点として自由端側が回動可能なアーム部を有し、前記レバーの回動時、前記可動接点の前記アーム部の自由端側が前記レバーの押圧で回動されて、接点の切換を行うようにした構成とした。
【００１７】
また、第２の解決手段として、前記固定接点は、前記アーム部の前記支持部と前記アーム部の前記レバー当接位置との間で接離するようにした構成とした。
また、第３の解決手段として、前記レバーは、前記アーム部によって元の位置に復帰するようにした構成とした。
【００１８】
また、第４の解決手段として、前記レバーは、回動可能に軸支される軸支部と、この軸支部から延びて形成された操作部と、この操作部の先端部と前記軸支部との間で、前記操作部に設けられた押圧部を有し、前記押圧部で前記アーム部を押圧して回動するようにした構成とした。
【００１９】
また、第５の解決手段として、前記操作部には、前記アーム部の自由端部側を受け入れる窪み部が設けられた構成とした。
また、第６の解決手段として、前記レバーは、前記軸支部が前記ケースに対してスナップ止めされて、前記レバーが前記ケースに取り付けられた構成とした。
【００２０】
また、第７の解決手段として、前記レバーの前記軸支部と前記アーム部の前記支持部は、前記ケースに対して同一側に配置され、前記軸支部を支点として前記操作部を回動した時、前記支持部を支点として回動する前記アーム部の回動方向が前記操作部の回動方向と同じ方向とした構成とした。
【００２１】
また、第８の解決手段として、前記操作部の外周面には、前記軸支部の軸線方向に延びる平坦面が設けられ、前記平坦面を前記ケースに当接させて、前記レバーの復帰方向の回動をストップするようにした構成とした。
【００２２】
また、第９の解決手段として、前記固定接点は、バネ性ある金属薄板で形成され、前記ケースには、前記固定接点の接点部の動きを止める壁部が設けられた構成とした。
【００２３】
また、第１０の解決手段として、箱形をなす前記ケース内が前記壁部で区画されて、少なくとも２個の区画室を有し、前記可動接点と前記固定接点が異なる前記区画室に配置された構成とした。
また、第１１の解決手段として、前記レバーの前記操作部が前記ケースの前記開放部を塞ぐように配置された構成とした。
【００２４】
【発明の実施の形態】
本発明のスイッチの図面を説明すると、図１は本発明のスイッチの斜視図、図２は本発明のスイッチの分解斜視図、図３は本発明のスイッチの内部を示すために一部を切り欠きした斜視図、図４は本発明のスイッチの要部断面図、図５は本発明のスイッチの第１の動作を示すための要部断面図、図６は本発明のスイッチの第２の動作を示すための要部断面図、図７は本発明のスイッチに係り、レバーと可動接点の動きを示す説明図である。
【００２５】
次に、本発明のスイッチの構成を図１〜図７に基づいて説明すると、合成樹脂の成型品からなる箱形のケース１は、底壁１ａと、この底壁１ａの両側から上方に突出した一対の側壁１ｂと、この一対の側壁１ｂの上端部を繋ぐ上壁１ｃと、前面部に設けられた開放部１ｄと、この開放部１ｄと対向する背面側を塞ぐように設けられた背面壁１ｅを有する。
【００２６】
また、ケース１は、底壁１ａ、側壁１ｂ、上壁１ｃ、及び背面壁１ｅとで囲まれて形成された空間部１ｆと、この空間部１ｆ内に設けられ、空間部１ｆを少なくとも２個の区画室に区画する壁部１ｇと、上壁１ｃに近い位置で、対向した状態で一対の側壁１ｂに設けられた一対の孔１ｈと、開放部１ｄから背面壁１ｅに向けて、底壁１ａと側壁１ｂの間に設けられたスリット１ｊと、底壁１ａの開放部１ｄ側に並設された複数個の凹部１ｋを有する。
【００２７】
バネ性ある金属薄板からなる可動接点２は、下部に位置する第１基部２ａと、この第１基部２ａの一端から直角に折り曲げられた第２基部２ｂと、この第２基部２ｂの一端でＵ字状に折り曲げられて形成された支持部２ｃと、この支持部２ｃから延びた略く字状のアーム部２ｄと、支持部２ｃとアーム部２ｄの自由端部との間のアーム部２ｄに設けられた接点部２ｅと、第１基部２ａから前方に延びる第１端子部２ｆと、第１基部２ａから直角方向に延びる第２端子部２ｇと、第１基部２ａの両側から直角方向に一対の折り曲げ翼片２ｈを有する。
【００２８】
この可動接点２は、空間部１ｆの一方の区画室に、第２基部２ｂ側から収納すると共に、第２端子部２ｇをスリット１ｊに挿入する。
そして、可動接点２の第２基部２ｂが空間部１ｆの奥部に押し込まれると、第２基部２ｂが背面壁１ｅに当接、或いは近傍に位置した状態で、可動接点２がケース１に取り付けられる。
【００２９】
この時、第２端子部２ｇがスリット１ｊで支持されると共に、一対の翼片２ｈが凹部１ｋ内に位置して、可動接点２がケース１に位置決めされ、また、支持部２ｃは、ケース１の孔１ｈと同様に、上壁１ｃ側に位置した状態になると共に、アーム部２ｄの自由端部が開口部１ｄ側に延びた状態となる。
【００３０】
バネ性ある金属薄板からなる固定接点３は、下部に位置する第１基部３ａと、この第１基部３ａの一端から直角に折り曲げられた第２基部３ｂと、この第２基部３ｂの一端でＵ字状に折り曲げられて形成された支持部３ｃと、この支持部３ｃから延びたアーム部３ｄと、アーム部３ｄの自由端部から直角方向に延びて設けられた接点部３ｅと、第１基部３ａから前方に延びる第１端子部３ｆと、第１基部３ａから直角方向に延びる第２端子部３ｇと、第１基部３ａの両側から直角方向に一対の折り曲げ翼片３ｈを有する。
【００３１】
この固定接点３は、空間部１ｆの他方の区画室に、第２基部３ｂ側から収納すると共に、第２端子部３ｇをスリット１ｊに挿入する。
そして、固定接点３の第２基部３ｂが空間部１ｆの奥部に押し込まれると、第２基部３ｂが背面壁１ｅに当接、或いは近傍に位置した状態で、固定接点３がケース１に取り付けられる。
【００３２】
この時、第２端子部３ｇがスリット１ｊで支持されると共に、一対の翼片３ｈが凹部１ｋ内に位置して、固定接点３がケース１に位置決めされ、また、支持部３ｃは、ケース１の孔１ｈと同様に、上壁１ｃ側に位置した状態になると共に、アーム部３ｄの自由端部に設けられた接点部３ｅが開口部１ｄ側に位置した状態となっる。
【００３３】
また、固定接点３が取り付けられた際、接点部３ｅは、可動接点２の接点部３ｅと対向した状態で、接点部２ｅの幅方向に延びると共に、接点部３ｅは、接点部２ｅよりも前方側（開放部１ｄ側）に位置し、接点部３ｅ、或いはアーム部３ｄは、壁部１ｇに当接可能となっている。
【００３４】
そして、通常時においては、可動接点２のアーム部２ｄに設けられた接点部３ｅで、固定接点３の接点部３ｅが押されて、両者が接触した状態にあると共に、固定接点３の接点部３ｅ、或いはアーム部３ｄは、壁部１ｇから離れた状態となっており、また、可動接点２が操作されて、アーム部２ｄが支持部２ｃを支点として回動した時は、接点部２ｅ、３ｅ間が離れると共に、接点部３ｅ、或いはアーム部３ｄが壁部１ｇに当接して、それ以上の移動が阻止されるようになっている。
【００３５】
合成樹脂の成型品からなるレバー４は、略扇状の操作部４ａと、この操作部４ａの一端側に設けられ、両側に突出する軸部からなる軸支部４ｂと、この軸支部４ｂと操作部４ａの先端部との間で、操作部４ａの内側に設けられた突部からなる押圧部４ｃと、この押圧部ｃに隣接して操作部４ａの内側に設けられた窪み部４ｄと、軸支部４ｂの軸線方向に延びた状態で、操作部４ａの外周面に形成された平坦面４ｅとを有する。
【００３６】
このレバー４は、開放部１ｄ側から軸支部４ｂが一対の側壁１ｂ間に押し込まれると、一対の側壁１ｂが外方に変位し、すると、軸支部４ｂが孔１ｈに嵌入すると共に、側壁１ｂが元の状態に変位して、ケース１に回動可能に取り付けられる。
【００３７】
即ち、レバー４は、ケース１に対してスナップ止めされると共に、ケース１に支持された軸支部４ｂと可動接点３の支持部３ｃは、ケース１の上壁１ｃ側、即ち、ケース１に対して同一側に配置された状態となっている。
【００３８】
また、レバー４が取り付けられた際、操作部４ａは、開放部１ｄを塞ぐように開放部１ｄ内に位置すると共に、可動接点２のアーム部２ｄの自由端部側が押圧部４ｃに当接して、アーム部２ｄの自由端部が窪み部４ｄ内に位置して、窪み部４ｄによって、アーム部２ｄの自由端部を受け入れるようになっている。
【００３９】
また、レバー４が取り付けられた際、レバー４は、アーム部２ｄによって押されて復帰するようになっているが、この時、図４に示すように、平坦面４ｅが上壁１ｃに面接触して、レバー４は、それ以上の回動が阻止（ストップ）されるようになっていると共に、固定接点３の接点部３ｅは、支持部２ｃと押圧部４ｃ（レバー４）の当接位置との間で、可動接点２と接離するようになっている。
【００４０】
次に、このような構成を有する本発明のスイッチの動作を説明すると、先ず、レバー４が未作動の図４の状態では、接点部２ｅ、３ｅが互いに接触状態にあって、ＯＮ状態となっている。
【００４１】
この図４の状態で操作部４ａを押圧し、軸支部４ｂを支点としてレバー４を回動すると、図５に示すように、押圧部４ｃが可動接点２のアーム部２ｄのバネ性に抗して移動すると共に、平坦面４ｅが上壁１ｃから離れる。
【００４２】
この時、レバー４は軸支部４ｂを支点として時計方向に回動すると共に、アーム部２ｄも支持部２ｃを支点として時計方向に回動して、レバー４とアーム部２ｄの回動方向が同じ方向となっている。
【００４３】
更に、レバー４を回動すると、図６に示すように、押圧部４ｃでアーム部２ｄが押圧移動されて、接点部２ｅ、３ｅ間が離れてＯＦＦの状態になると共に、固定接点３の接点部３ｅ、或いはアーム部３ｄが自己のバネ性により壁部１ｇに当接して、それ以上の移動が阻止されると共に、操作部４ａの先端部が壁部１ｇにぶつかって、レバー４の回動が停止する。
【００４４】
また、この図６の状態で、レバー４の押圧を解除すると、レバー４は、可動接点２のアーム部２ｄによって元の状態に押し戻され、図４に示すように、平坦面４ｅが上壁１ｃに面接触して、レバー４のそれ以上の回動が阻止される。
また、その間において、接点部２ｅが接点部３ｅを押圧し、両者が接触してＯＮ状態となると共に、接点部３ｅは壁部１ｇから離れた元の状態となる。
【００４５】
図７は、レバー４と可動接点２のアーム部２ｄの回動状態を示し、レバー４は、角度Ａ１の範囲で回動すると共に、アーム部２ｄは、角度Ａ２の範囲で回動するようになっている。
【００４６】
【発明の効果】
本発明のスイッチは、前面に開放部が設けられた絶縁材からなるケースと、開放部に位置し、ケースに回動可能に軸支されたレバーと、ケースに取り付けられたバネ性ある金属薄板からなる可動接点と、ケースに取り付けられ、可動接点に接離可能な固定接点とを備え、可動接点は、支持部と、この支持部を支点として自由端側が回動可能なアーム部を有し、レバーの回動時、可動接点のアーム部の自由端側がレバーの押圧で回動されて、接点の切換を行うようにした構成とした。
このように、可動接点をケースに取り付けると、可動接点がレバーに取り付けられる従来に比して、可動接点の取付が簡単で、生産性の良好なものが得られる。
また、可動接点のアーム部を回動するようにしたため、可動接点全体を回動する従来に比して、小型のものが得られる。
【００４７】
また、固定接点は、アーム部の支持部とアーム部のレバー当接位置との間で接離するようにしたため、アーム部の先端部で固定接点に接離する従来に比して、レバーの移動量を小さくして、接点の切換を行うことができ、小型で、操作性の良好なスイッチを提供できる。
【００４８】
また、レバーは、アーム部によって元の位置に復帰するようにしたため、レバーの復帰に別部品を必要とせず、安価で、生産性の良好なものが得られる。
【００４９】
また、レバーは、回動可能に軸支される軸支部と、この軸支部から延びて形成された操作部と、この操作部の先端部と軸支部との間で、操作部に設けられた押圧部を有し、押圧部でアーム部を押圧して回動するようにしたため、接点切換の確実なものが得られる。
【００５０】
また、操作部には、アーム部の自由端部側を受け入れる窪み部が設けられたため、窪み部がアーム部の自由端部の逃げ部として作用し、小型のものが得られる。
【００５１】
また、レバーは、軸支部が前記ケースに対してスナップ止めされて、レバーがケースに取り付けられたため、組立が簡単で、生産性の良好なものが得られる。
【００５２】
また、レバーの軸支部とアーム部の支持部は、ケースに対して同一側に配置され、軸支部を支点として操作部を回動した時、支持部を支点として回動するアーム部の回動方向が操作部の回動方向と同じ方向としたため、アーム部と操作部の回動範囲を小さくできて、小型のものが得られる。
【００５３】
また、操作部の外周面には、軸支部の軸線方向に延びる平坦面が設けられ、平坦面をケースに当接させて、レバーの復帰方向の回動をストップするようにしたため、従来の取付部材が不要となって、部品点数が少なく安価で、生産性の良好なものが得られる。
【００５４】
また、固定接点は、バネ性ある金属薄板で形成され、ケースには、固定接点の接点部の動きを止める壁部が設けられたため、固定接点の移動範囲が規制できて、レバーの小さい回動で接点の切換ができると共に、接点切換の確実なものが得られる。
【００５５】
また、箱形をなすケース内が壁部で区画されて、少なくとも２個の区画室を有し、可動接点と固定接点が異なる区画室に配置されたため、可動接点と固定接点の取付が容易になると共に、両者間の絶縁の確実なものが得られる。
【００５６】
また、レバーの操作部がケースの開放部を塞ぐように配置されたため、埃などの異物の侵入を阻止できて、接点切換の確実なものが得られる。
【図面の簡単な説明】
【図１】本発明のスイッチの斜視図。
【図２】本発明のスイッチの分解斜視図。
【図３】本発明のスイッチの内部を示すために一部を切り欠きした斜視図。
【図４】本発明のスイッチの要部断面図。
【図５】本発明のスイッチの第１の動作を示すための要部断面図。
【図６】本発明のスイッチの第２の動作を示すための要部断面図。
【図７】本発明のスイッチに係り、レバーと可動接点の動きを示す説明図。
【図８】従来のスイッチの要部断面図。
【図９】従来のスイッチの分解斜視図。
【符号の説明】
１  ケース
１ａ  底壁
１ｂ  側壁
１ｃ  上壁
１ｄ  開放部
１ｅ  背面壁
１ｆ  空間部
１ｇ  壁部
１ｈ  孔
１ｊ  スリット
１ｋ  凹部
２  可動接点
２ａ  第１基部
２ｂ  第２基部
２ｃ  支持部
２ｄ  アーム部
２ｅ  接点部
２ｆ  第１端子部
２ｇ  第２端子部
２ｈ  翼片
３  固定接点
３ａ  第１基部
３ｂ  第２基部
３ｃ  支持部
３ｄ  アーム部
３ｅ  接点部
３ｆ  第１端子部
３ｇ  第２端子部
３ｈ  翼片
４  レバー
４ａ  操作部
４ｂ  軸支部
４ｃ  押圧部
４ｄ  窪み部
４ｅ  平坦面
【図１】
2004185925.tif 000003
【図２】
2004185925.tif 000004
【図３】
2004185925.tif 000005
【図４】
2004185925.tif 000006
【図５】
2004185925.tif 000007
【図６】
2004185925.tif 000008
【図７】
2004185925.tif 000009
【図８】
2004185925.tif 000010
【図９】
2004185925.tif 000011